(57)【要約】  本発明は、高電圧で電力供給される少なくとも１つの機能モジュール（５）を備える自動車電気回路（１）にガルバニック絶縁状態で結合されることが意図された、自動車電気回路（１）の電子制御モジュール（３）であって、外部インタフェース（７）に結合されることが意図され、外部インタフェース（７）から宛先の制御モジュール（３）の要素へ低電圧電気設定値信号を伝送するように構成された接続バス（９）と、設定値信号に応じて少なくとも１つの機能モジュール（５）を制御するように構成されたマイクロコントローラ（１）とを備え、マイクロコントローラ（１１）および接続バス（９）は、低電圧部（１３１）および高電圧部（１３３）を備える非ガルバニックカプラ（１３）によって結合され、低電圧部（１３１）および高電圧部（１３３）は、少なくとも１つの信号を交換可能であり、かつ、ガルバニック分離され、制御モジュールは、出力（１５３、１５５、１５７）を介して非ガルバニックカプラ（１３）の低電圧部（１３１）および高電圧部（１３３）、並びにマイクロコントローラ（１１）に結合されて電力を供給する変圧器（１５）をさらに備え、変圧器（１５）は、ブレーカスイッチ（１９）を介して低電圧電源（１７）に結合され、接続バス（９）は、ブレーカスイッチ（１９）の開状態または閉状態を制御するスイッチング部材（９１）を備えることを特徴とする電子制御モジュールに関する。
2015530060.tif 000002
【特許請求の範囲】
【請求項１】
高電圧で電力供給される少なくとも１つの機能モジュール（５）を備える自動車電気回路（１）にガルバニック絶縁状態で結合されることが意図された、自動車電気回路（１）用の電子制御モジュール（３）であって、
外部インタフェース（７）に結合されることが意図され、前記外部インタフェース（７）から出る低電圧電気設定値信号を宛先の前記制御モジュール（３）の要素へ伝送するように構成された接続バス（９）と、
前記設定値信号に応じて前記少なくとも１つの機能モジュール（５）を制御するように構成されたマイクロコントローラ（１１）と、を備え、
前記マイクロコントローラ（１１）および前記接続バス（９）は、低電圧部（１３１）および高電圧部（１３３）を備える非ガルバニックカプラ（１３）によって結合され、それらは、少なくとも１つの信号を交換可能であり、且つ、ガルバニック分離され、前記制御モジュールは、出力（１５３、１５５、１５７）を介して前記非ガルバニックカプラ（１３）の前記高および低電圧部（１３１，１３３）、並びに、前記マイクロコントローラ（１１）に結合されてそれらの電源を供給する変圧器（１５）をさらに備え、前記変圧器（１５）は、ブレーカスイッチ（１９）を介して電源（１７）に結合され、前記接続バス（９）は、前記ブレーカスイッチ（１９）の開または閉状態を制御するスイッチング部材（９１）を備えることを特徴とする電子制御モジュール。
【請求項２】
前記接続バス（９）は、ＬＩＮバスであることを特徴とする、請求項１に記載の制御モジュール。
【請求項３】
前記接続（９）バスは、ＣＡＮバスまたはＦｌｅｘＲａｙ（商標）バスであることを特徴とする、請求項１に記載の制御モジュール。
【請求項４】
前記非ガルバニックカプラ（１３）は、フォトカプラであることを特徴とする、請求項１から３のいずれか一項に記載の制御モジュール。
【請求項５】
前記非ガルバニックカプラ（１３）は、容量性カプラであることを特徴とする、請求項１から３のいずれか一項に記載の制御モジュール。
【請求項６】
前記非ガルバニックカプラ（１３）を介して前記接続バス（９）および前記マイクロコントローラ（１１）を結合するホールド信号線（Ｈ）をさらに備え、
前記スイッチング部材（９１）は、前記ホールド信号線（Ｈ）にホールド信号がない場合、前記ブレーカスイッチ（１９）を開くように構成され、
前記スイッチング部材（９１）は、前記ホールド信号線（Ｈ）にホールド信号がある場合、前記ブレーカスイッチ（１９）を閉じるように構成されることを特徴とする、請求項１から５のいずれか一項に記載の制御モジュール。
【請求項７】
前記変圧器（１５）は、低電圧電源を供給する、前記接続バス（９）からガルバニック絶縁された出力（１５７）を備えることを特徴とする、請求項１から６の少なくとも一項に記載の制御モジュール。
【請求項８】
低電圧電源を供給する前記出力（１５７）は、前記マイクロコントローラ（１１）に結合され、
前記マイクロコントローラ（１１）は、前記少なくとも１つの機能モジュール（５）の前記高電圧制御トランジスタ（５１）を作動させる制御信号を出力で得るために、入力で受けられる前記低電圧電源を変調するように構成されることを特徴とする、請求項７に記載の制御モジュール。
【請求項９】
高電圧で電力供給される少なくとも１つの機能モジュール（５）を備える自動車電気回路（１）にガルバニック絶縁状態で結合されることが意図された、自動車電気回路（１）用の電子制御モジュール（３）を無効化する方法であって、前記自動車電気回路（１）は、
外部インタフェース（７）に結合されることが意図され、前記外部インタフェース（７）から出る低電圧電気設定値信号を宛先の前記制御モジュール（３）の要素へ伝送するように構成された接続バス（９）と、
前記設定値信号に応じて前記少なくとも１つの機能モジュール（５）を制御するように構成されたマイクロコントローラ（１１）と、を備え、
前記マイクロコントローラ（１１）および前記接続バス（９）は、低電圧部（１３１）および高電圧部（１３３）を備える非ガルバニックカプラ（１３）によって結合され、それらは、少なくとも１つの信号を交換可能であり、且つ、ガルバニック分離され、前記制御モジュールは、出力（１５３、１５５、１５７）を介して前記非ガルバニックカプラ（１３）の前記高および低電圧部（１３１，１３３）、並びに、前記マイクロコントローラ（１１）に結合されてそれらの電源を供給する変圧器（１５）をさらに備え、前記変圧器（１５）は、ブレーカスイッチ（１９）を介して電源（１７）に結合され、前記接続バス（９）は、前記ブレーカスイッチ（１９）の開または閉状態を制御するスイッチング部材（９１）を備え、
前記接続バス（９）が無効化要求を受信するステップと、
前記無効化要求を受信すると、前記接続バス（９）が、前記スイッチング部材（９１）によって前記ブレーカスイッチ（１９）を開くステップと、
前記接続バス（９）が無効化されるステップと、
を含むことを特徴とする方法。
【請求項１０】
前記マイクロコントローラ（１１）が長期の無作動を検出するステップと、
前記マイクロコントローラ（１１）が前記機能モジュール（５）の少なくとも一部の無効化を起動するステップと、
前記マイクロコントローラ（１１）が前記接続バス（９）へ無効化要求を送出するステップと、
をさらに含むことを特徴とする、請求項９に記載の方法。
【請求項１１】
高電圧で電力供給される少なくとも１つの機能モジュール（５）を備える自動車電気回路（１）にガルバニック絶縁状態で結合されることが意図された、自動車電気回路（１）用の電子制御モジュール（３）を有効化する方法であって、前記自動車電気回路（１）は、
外部インタフェース（７）に結合されることが意図され、前記外部インタフェース（７）から出る低電圧電気設定値信号を宛先の前記制御モジュール（３）の要素へ伝送するように構成された接続バス（９）と、
前記設定値信号に応じて前記少なくとも１つの機能モジュール（５）を制御するように構成されたマイクロコントローラ（１１）と、を備え、
前記マイクロコントローラ（１１）および前記接続バス（９）は、低電圧部（１３１）および高電圧部（１３３）を備える非ガルバニックカプラ（１３）によって結合され、それらは、少なくとも１つの信号を交換可能であり、且つ、ガルバニック分離され、前記制御モジュールは、出力（１５３、１５５、１５７）を介して前記非ガルバニックカプラ（１３）の前記高および低電圧部（１３１，１３３）、並びに、前記マイクロコントローラ（１１）に結合されてそれらの電源を供給する変圧器（１５）をさらに備え、前記変圧器（１５）は、ブレーカスイッチ（１９）を介して電源（１７）に結合され、前記接続バス（９）は、前記ブレーカスイッチ（１９）の開または閉状態を制御するスイッチング部材（９１）を備え、
前記接続バス（９）が作動信号を受信するステップと、
前記接続バス（９）が無効化状態を終了するステップと、
を含み、前記接続バス（９）は、前記スイッチング部材（９１）によって前記ブレーカスイッチ（１９）を閉じることを特徴とする方法。
【発明の詳細な説明】
【技術分野】
【０００１】
本発明は、自動車、特に、電気自動車の電気回路用制御モジュールに関し、特に、これらの回路を備える要素の無効化および有効化に関する。
【背景技術】
【０００２】
電気自動車またはハイブリッド車において、４００ボルトのオーダーの高電圧で電力供給される電気回路部品がある一方で、制御信号を生成すると共に搬送する制御回路には、５〜１２ボルトのオーダーの低電圧で電力供給がなされる。
【０００３】
高電圧で電力供給される部品は、一般に、自動車の推進モータや自動車のヒータなどの全ての機能パワーモジュールを備えている。高電圧は、同じ電力に対して、強度、ひいては、ジュール効果による損失を低くすることを可能とする。回路部品に対して低電圧で電力供給される部品は、特に、接続バスなどの制御要素を備える。
【０００４】
電気回路のこれらの２つの部品は、低電圧部品へ高電圧が放電しないように、ガルバニックバリア（galvanic barrier）と呼ばれる絶縁によって分離される。相互作用が要求される高電圧線と低電圧線との間に位置する場所に、変圧器によってガルバニックバリアが通される。
【発明の概要】
【発明が解決しようとする課題】
【０００５】
回路の機能を制御するために、制御回路は、スイッチングモジュールを介してユーザによって適用される命令および／または低電圧バスによって結合されるセンサからの信号に応じて、回路の異なる機能モジュールを制御するマイクロコントローラを備える。特に、高価なコンバータを用いることなく、ガルバニックバリアを通過するアナログ電圧または強度の測定を行うことは不可能である。
【０００６】
したがって、マイクロコントローラがガルバニックバリアの低電圧側に位置すれば、挿入されたコンバータを通して回路の高電圧機能モジュールに関する測定値のみを受信可能となり、精度への悪影響および／または高コストにつながる。
【０００７】
マイクロコントローラがガルバニックバリアの高電圧側に位置すれば、追加的なガルバニック分離（galvanically decoupled）線を導入することなく装置の無効化を制御することは不可能であり、ガルバニックバリアを形成する要素の制御が特に問題となる。
【課題を解決するための手段】
【０００８】
上述した欠点を少なくとも部分的に解消するために、本発明の目的は、高電圧で電力供給される少なくとも１つの機能モジュールを備える自動車電気回路にガルバニック絶縁状態で結合されることが意図された、自動車電気回路の電子制御モジュールであって、
外部インタフェースに結合されることが意図され、低電圧電気設定値信号を伝送するように構成された接続バスと、
設定値信号に応じて少なくとも１つの機能モジュールを制御するように構成されたマイクロコントローラと、
を備え、マイクロコントローラおよび接続バスは、低電圧部および高電圧部を備える非ガルバニックカプラによって結合され、低電圧部および高電圧部は、１つの信号を交換可能であり、かつ、ガルバニック分離され、制御モジュールは、出力を介して非ガルバニックカプラの低電圧部および高電圧部、ならびにマイクロコントローラに結合されて電力を供給する変圧器をさらに備え、変圧器は、ブレーカスイッチを介して電源に結合され、接続バスは、ブレーカスイッチの開状態または閉状態を制御するスイッチング部材を備えることを特徴とする、電子制御モジュールである。
【０００９】
したがって、本発明による制御モジュールにより無効化が可能となり、制御電子機器の消費が低減される。
【００１０】
制御モジュールは、以下の特性の１つ以上を単独でまたは組み合わせてさらに備え得る。
【００１１】
接続バスはＬＩＮバスである。
【００１２】
あるいは、接続バスは、ＣＡＮバスまたはＦｌｅｘＲａｙ（商標）バスである。
【００１３】
非ガルバニックカプラは、フォトカプラまたは容量性カプラである。
【００１４】
制御モジュールは、非ガルバニックカプラを介して接続バスおよびマイクロコントローラを結合するホールド信号線をさらに備え、スイッチング部材は、ホールド信号線のホールド信号がない場合、ブレーカスイッチを開くように構成され、マイクロコントローラは、所定の期間、少なくとも１つの機能モジュールの作動がない場合、ホールド信号を遮断するように構成される。
【００１５】
変圧器は、接続バスからガルバニック絶縁された出力を備え、超低電圧電源を供給する。
【００１６】
低電圧電源を供給する前記出力は、マイクロコントローラに結合されることができ、前記マイクロコントローラは、少なくとも１つの機能モジュールの高電圧制御トランジスタを作動させる制御信号を出力で得るために、入力で受信される低電圧電源を変調するように構成され得る。
【００１７】
本発明は、前述したような自動車電気回路の電子制御モジュールを無効化する関連する方法であって、
接続バスが無効化要求を受信するステップと、
無効化要求を受信すると、接続バスが、ブレーカスイッチを開くステップと、
接続バスが無効化されるステップと、
を含むことを特徴とする方法を１つの目的として有する。
本発明は、前述したような自動車電気回路の電子制御モジュールを無効化する関連する方法であって、
接続バスが作動信号を受信するステップと、
接続バスが無効化状態を終了するステップと、
接続バスがブレーカスイッチを閉じるステップと、
を含むことを特徴とする方法を１つの目的として有する。
【００１８】
また、本発明は、前述したような方法であって、
マイクロコントローラが長期の無作動を検出するステップと、
マイクロコントローラが機能モジュールの少なくとも一部の無効化を起動するステップと、
マイクロコントローラが接続バスへ無効化要求を送出するステップと、
をさらに含むことを特徴とする方法を１つの目的として有する。
【００１９】
本発明のさらなる利点および特性は、以下の図面の記載を読むことで明らかになる。
【図面の簡単な説明】
【００２０】
【図１】本発明による制御モジュールを備える自動車電気回路の図。
【図２】本発明による制御モジュールを無効化する方法の主要なステップを図式的に列挙した体系図。
【図３】本発明による制御モジュールを有効化する方法の主要なステップを図式的に列挙した体系図。
【発明を実施するための形態】
【００２１】
図面を通して、同じ参照番号は同じ要素に関係する。
【００２２】
図１は、制御モジュール３を備える自動車電気回路１を図式的に示す。
【００２３】
図１において、電気回路１は、制御モジュール３の他に、高電圧で機能する機能モジュール５を備える。ここで、機能モジュール５は、高電圧の電気回路負荷を表す。これは、電気自動車やハイブリッド車の場合、自動車のモータおよび／または暖房装置であり得る。
【００２４】
機能モジュール５は、高電圧、高電力で機能するため、制御モジュール３の低電圧要素から絶縁される必要がある。
【００２５】
また、電気回路１は、回路１の低電圧側に、制御モジュール３に接続された外部インタフェース７をさらに備え、外部インタフェース７は、例えば、センサおよび／またはスイッチを含む。センサは、検出値に応じて信号を発生し、この信号は、機能モジュールの機能をセンサによって検出された条件に適応させるように使用される。スイッチにより、ユーザは、機能モジュール５の機能モードに作用することができる。
【００２６】
センサは、例えば、自動車のバッテリが過熱した場合にモータパワーを抑制できるように、バッテリ用の温度センサを含み得る。代わりに、又は、並列に、センサは、検出温度に応じて乗員室の暖房システムの電力を適応させるように、乗員室温度センサを含み得る。
【００２７】
スイッチは、例えば、機能モジュール５の対応する機能モードを得るためにユーザによって特定のスイッチング状態に置かれた、乗員室、特にボードパネルレベルに組み込まれたスイッチを含み得る。
【００２８】
制御モジュール３は、回路の要素と少なくとも１つのコントローラとの間の接続を含む接続バス９を備える。接続バス９は、例えば、ＬＩＮ（ローカル相互接続ネットワーク：Ｌｏｃａｌ  Ｉｎｔｅｒｃｏｎｎｅｃｔｉｏｎ  Ｎｅｔｗｏｒｋ）、ＣＡＮ（コントローラエリアネットワーク：Ｃｏｎｔｒｏｌｌｅｒ  Ａｒｅａ  Ｎｅｔｗｏｒｋ）またはＦｌｅｘＲａｙ（商標）タイプのバスであり得る。ＬＩＮバスは、センサおよびスイッチの数が制限されていれば、その簡潔さ、堅牢性および低コストの面から特に適切である。
【００２９】
接続バス９は、外部インタフェース７から、機能モジュール５に結合されたマイクロコントローラ１１に送信される必要がある設定値信号を受信するように構成される。接続バス９は、制御モジュール３の通信バスとマイクロコントローラ１１との間のインタフェースであり、接続バス９は、英語名称でバストランシーバとして知られている。マイクロコントローラ１１は、特に、機能モジュール５のある数の高電圧トランジスタ５１を制御し、高電圧トランジスタ５１は、低電圧信号によって作動される。
【００３０】
接続バス９およびマイクロコントローラ１１は、信号線、ここでは、３本の信号線、すなわち、受信線Ｒｘ、送信線Ｔｘ、ホールド信号線Ｈによって結合される。受信線Ｒｘは、接続バス９からマイクロコントローラ１１へ設定値信号を送信するように働き、送信線Ｔｘは、マイクロコントローラ１１から接続バス９に設定値信号を送信するように働く。ホールド信号線は、マイクロコントローラ１１から接続バス９へホールド信号を送信するように働く。
【００３１】
線Ｒｘ、ＴｘおよびＨは、非ガルバニックカプラ１３によって遮断される。非ガルバニックカプラ１３は、接続バス９とマイクロコントローラ１１との間に配置される。非ガルバニックカプラ１３は、接続バス９とマイクロコントローラ１１との間にガルバニック絶縁を設けながら、線Ｒｘ、ＴｘおよびＨを通して信号の送信を可能にする。
【００３２】
非ガルバニックカプラ１３は、低電圧部１３１と、高電圧部１３３とを備える。低電圧部１３１は、接続バス９に接続され、高電圧部１３３は、マイクロコントローラ１１に接続される。低電圧部１３１および高電圧部１３３は、ガルバニック絶縁を生じさせるように、非ガルバニックカップリング、例えば、光カップリングによって互いに結合される。この構成において、非ガルバニックカプラ１３の低電圧部１３１および高電圧部１３３は、発光ダイオードと、フォトトランジスタとを備える。
【００３３】
このカップリングは、マイクロコントローラ１１が、恒常的に変化する設定値信号に従う必要があれば、アナログタイプのものでよく、または、マイクロコントローラ１１を制御する機能モジュール５の状態が有限数に低減可能であれば、ディジタルタイプのものでよい。
【００３４】
あるいは、非ガルバニックカプラ１３は、ディジタル値を有するブレーカスイッチを作動させることによって信号を中継する電気機械カプラであり得、またはこのタスクを達成するために半導体を用いる静的接触器であり得る。
【００３５】
なお、マイクロコントローラ１１は、ここでは、非ガルバニックカプラ１３によって実現されるガルバニックバリアの高電圧側に位置する。
【００３６】
制御モジュール３は、変圧器１５、例えば、低電圧電源１７によって電力供給されるインダクタンス変圧器をさらに備える。変圧器１５は、入力１５１で低電圧電源１７から電源電流を受け、電力が供給される回路１の要素に結合される出力１５３、１５５、１５７に出力電流を誘導するように前記電源電流を使用する。
【００３７】
低電圧電源１７は、一般に、可能な電圧アダプタを介した車両バッテリとの接続である。変圧器１５は、例えば、１つまたは複数の磁気結合回路を用いたガルバニック絶縁体である。
【００３８】
第１の出力１５３は、非ガルバニックカプラ１３の低電圧部１３１に結合され、第２の出力１５５は、カプラ１３の高電圧部１３３およびマイクロコントローラ１１に結合される。
【００３９】
変圧器１５は、多目的低電圧電流を出力する追加的な出力１５７を備え得る。この多目的電流は、特に、他の出力１５１、１５３、１５５によって供給される電流と比較して異なる電圧となり得る。
【００４０】
多目的低電圧電流は、マイクロコントローラ１１が制御するトランジスタを作動させるために使用され得る。これを行うために、マイクロコントローラ１１は、多目的低電圧電流を変調し、負荷５の要素を制御する高電圧トランジスタの制御信号として、変調された信号を使用する。
【００４１】
変圧器１５は、特に、低電圧電源または信号電流を生成するために、ガルバニックバリアで通常配設された１つまたは複数の変圧器と組み合わせられ、または一体化され得る。特に、多目的電流を阻止する際に、マイクロコントローラ１１は「ロー」状態を生成し、多目的電流が通過できるようにする際に、マイクロコントローラ１１は「ハイ」状態を生成する。
【００４２】
変圧器１５の入力１５１と低電圧電源１７との間に、ブレーカスイッチ１９が配設される。このブレーカスイッチ１９は、特に、例えば、ＭＯＳＦＥＴタイプのパワートランジスタであり得る。ブレーカスイッチ１９は、接続バス９と一体化されたスイッチング部材９１によって制御される。スイッチング部材９１は、バス９上で搬送される信号に応じて開状態と閉状態との間でブレーカスイッチ１９を作動させる。特に、接続バス９のスイッチング部材９１は、ホールド信号線Ｈにホールド信号が検出されない場合、ブレーカスイッチ１９を開き、ホールド信号がある場合、前記ブレーカスイッチ１９を閉じるように構成される。一方で、スイッチング部材９１は、ホールド信号線Ｈにホールド信号がある場合、ブレーカスイッチ１９を閉じるように構成される。
【００４３】
スイッチング部材９１は、接続バス９が無効化に設定されれば、スイッチング部材９１は無効化状態に入り、相反的に、バス９の有効化によりスイッチング部材９１が有効化される点で、無効化状態または有効化状態に関して、接続バス９と密接である。
【００４４】
図２は、前述したシステムに関連する無効化方法１００の主要なステップを図式的に列挙する。無効化により、回路１の異なる要素は、特に、長期にわたって利用されない場合に備えるために、最小消費状態に置かれることを理解されたい。
【００４５】
第１のステップ１０１では、接続バス９によって無効化要求を受信する。例えば、接触の遮断（自動車からの鍵の引き抜き）や、検出器による無効化条件の検出（危険な過熱、非常に低いバッテリ充電など）により、外部インタフェース７によって無効化要求が送出される。
【００４６】
例えば、マイクロコントローラ１１が、長期にわたる装置の無作動を検出すると、前記要求は、マイクロコントローラ１１によって発せられ得る。
【００４７】
マイクロコントローラ１１による無作動の検出は、例えば、所定の期間、一般には、およそ数秒にわたって１つまたは複数の機能モジュール５の電気消費を記憶することによって達成され、且つ、超過するとモジュール５が記憶期間中に作動していることが確実になるしきい値を、電気消費が超えていないことを検証することによって達成され得る。
【００４８】
遮断要求が別の供給源から接続バス９によって受信されれば、この遮断要求は、最初にマイクロコントローラ１１に送信され、マイクロコントローラ１１は、１つまたは複数の機能モジュール５のすべての可能な要素をオフに切り換えるか、またはすべて無効化する。
【００４９】
マイクロコントローラ１１は、次のステップ１０３において、依然として電力が供給されている前記１つまたは複数の機能モジュール５の要素をオフに切り換え、または無効化する。
【００５０】
１つまたは複数の機能モジュール５の電気要素をオフに切り換え、または無効化することに加えて、マイクロコントローラ１１は、次のステップ１０５において、ホールド信号線Ｈでのホールド信号の送出を中断する。
【００５１】
ホールド信号を受信しなくなれば、接続バス９は、次のステップ１０７において、スイッチング部材９１によってブレーカスイッチ１９を開くように作動させる。ブレーカスイッチ１９が開くと、変圧器１５の電源はオフに切り換えられる。この瞬間から、変圧器１５には電力が供給されず、出力１５３、１５５、１５７はこれ以上は電流を伝送しない。出力１５３、１５５、１５７に電流がないということは、カプラ１３の低電圧部１３１および高電圧部１３３、マイクロコントローラ１１および多目的電流がオフに切り換えられていることを示す。
【００５２】
最後に、接続バス９は、プロトコル（ＬＩＮ、ＣＡＮ、ＦｌｅｘＲａｙ（商標）など）に固有の無効化手順を適用することによって、最後のステップ１０９において無効化される。この無効化により、スイッチング部材９１の無効化がもたらされる。
【００５３】
そして、回路１のすべての要素は、最小消費状態にある。
【００５４】
図３は、本発明による制御モジュール３の有効化方法２００の主要なステップの線図である。
【００５５】
第１のステップ２０１は、接続バス９を通じた外部インタフェース７から送出される作動信号の受信である。以下のステップ２０３において、接続バス９は、スイッチング部材９１によってブレーカスイッチ１９を閉じる。
【００５６】
作動信号は、例えば、自動車の始動時、インタフェース７の開始検出器によって送出され得る。
【００５７】
ブレーカスイッチ１９が閉じられると、変圧器１５がオンに切り換えられ、結果的に、出力１５３、１５５、１５７に接続された要素がオンに切り換えられ、すなわち、カプラ１３の低電圧部１３１および高電圧部１３３、マイクロコントローラ１１、並びに、多目的電流線のすべてに再度電力が供給される。
【００５８】
電力が供給されると、マイクロコントローラ１１は、再度、ホールド信号を送出し、次のステップ２０５において無作動検出を再開する。
【００５９】
したがって、上述したような制御モジュール３は、前記制御モジュール３を有効化および無効化するための方法の実行を単純化できる。特に、関係する要素全体は、ガルバニックバリアの低電圧側でマイクロコントローラ１１が実行されることなく、オフに切り換えられ得る。それ以降、３本の線Ｒｘ、Ｔｘ、Ｈのみが、機能モジュール５のすべての制御線の代わりに、ガルバニック絶縁性カップリングを与えればよい。
【００６０】
以上のことから、本発明により、低コスト制御モジュールの実施形態が可能になり、自動車の電子回路１が休止状態にあるとき、消費の低減が可能になる。
【図１】
2015530060.tif 000003
【図２】
2015530060.tif 000004
【図３】
2015530060.tif 000005
【国際調査報告】
2015530060.tif 000006
2015530060.tif 000007
2015530060.tif 000008
2015530060.tif 000009